(57)【要約】【課題】  平面に傾斜溝群を有するコルゲートフィンの製造方法において、製造が容易で、伝熱性が高く且つ、精度の良いコルゲートフィンの製造方法の提供。【解決手段】  一対のロール１，２により帯状金属板３の平面に多数の溝４ａを連続的に並列形成して、その横断面を浅い波形の平面に曲折する。次いで、定間隔に離間して溝無し部５を幅方向に形成するとともに、その溝無し部５の位置で金属板を折り返し曲折して曲折部５ａを形成する。【選択図】        図１
2011089664.tif 000002
【特許請求の範囲】
【請求項１】
並列された偏平チューブ(6)の平坦な外面に、コルゲートフィン(8)の曲折部(5a)が接触して、その接触部がろう付け固定され、その偏平チューブ(6)の外面およびコルゲートフィン(8)に気体が流通する熱交換器であって、その熱交換器用コルゲートフィンを製造する方法において、
一対の成形ロール(1)(2)により、帯状金属板(3)の平面に多数の溝(4a)を連続的に並列成形して、その横断面を浅い波形の平面に曲折する工程と、
次いで、前記浅い波形の平面に、その帯状金属板(3)の長手方向に定間隔に離間して、波形平面を平坦に押し潰して、そこに溝無し部(5)を幅方向に形成すると共に、その溝無し部(5)の位置で帯状金属板(3)をつづら折りに折返し曲折して、そこに前記曲折部(5a)を形成する工程と、
を具備する熱交換器用コルゲートフィンの製造方法。
【請求項２】
請求項１において、
前記多数の溝(4a)が前記長手方向に対して傾斜して配置されて、各溝無し部(5)間に傾斜溝群(4)が形成された熱交換器用コルゲートフィンの製造方法。
【請求項３】
請求項２において、
隣り合う前記傾斜溝群(4)の各傾斜方向が互いに逆向きである熱交換器用コルゲートフィンの製造方法。
【発明の詳細な説明】
【技術分野】
【０００１】
本発明は、冷却用空気に塵埃や異物が混じりやすい環境で使用される建設、農業、作業機械用の熱交換器に用いられるコルゲートフィンの製造方法に関する。
【背景技術】
【０００２】
送風用ファン等による冷却用空気流中に塵埃等の異物が混じりやすい環境で使用されるコルゲートフィン型熱交換器は、そのコルゲートフィンにルーバを切起しすることができない。その切起しの開口に目詰まりが生じるからである。そこで、熱交換の促進のためコルゲートフィンの平面に小さな溝を多数形成したものが提案されている。さらに、その各溝を空気流の流通方向に傾斜して配置したものが下記特許文献１の「再生熱交換器、及び再生熱交換方法」として提案されている。
【０００３】
これは、傾斜溝が多数並列されたフィンを、矩形波状に曲折したものである。このようなコルゲートフィンは、多数の傾斜溝の存在により、その内部に空気流が流通すると旋回流が生じ、熱交換効率が向上する。
【先行技術文献】
【特許文献】
【０００４】
【特許文献１】特許第３６９７５２３号公報
【発明の概要】
【発明が解決しようとする課題】
【０００５】
一般に、多数傾斜溝を有するコルゲートフィンを成形するには、一対の凹凸の溝付き成形ロール間に、金属帯板をその長手方向に供給して製作する。
次いで、このフィンを波形に曲折して偏平チューブ間に配置した場合、その接触部に傾斜溝が存在するため、接触面積が小さくなり、伝熱性が悪くなる欠点がある。
そこで、本発明はこの問題点を解決すると共に、熱交換性能を最大限に向上させことを課題とする。
【課題を解決するための手段】
【０００６】
請求項１に記載の本発明は、並列された偏平チューブ(6)の平坦な外面に、コルゲートフィン(8)の曲折部(5a)が接触して、その接触部がろう付け固定され、その偏平チューブ(6)の外面およびコルゲートフィン(8)に気体が流通する熱交換器であって、その熱交換器用コルゲートフィンを製造する方法において、
一対の成形ロール(1)(2)により、帯状金属板(3)の平面に多数の溝(4a)を連続的に並列成形して、その横断面を浅い波形の平面に曲折する工程と、
次いで、前記浅い波形の平面に、その帯状金属板(3)の長手方向に定間隔に離間して、波形平面を平坦に押し潰して、そこに溝無し部(5)を幅方向に形成すると共に、その溝無し部(5)の位置で帯状金属板(3)をつづら折りに折返し曲折して、そこに前記曲折部(5a)を形成する工程と、
を具備する熱交換器用コルゲートフィンの製造方法である。
【０００７】
請求項２に記載の本発明は、請求項１において、
前記多数の溝(4a)が前記長手方向に対して傾斜して配置されて、各溝無し部(5)間に傾斜溝群(4)が形成された熱交換器用コルゲートフィンの製造方法である。
請求項３に記載の本発明は、請求項２において、
隣り合う前記傾斜溝群(4)の各傾斜方向が互いに逆向きである熱交換器用コルゲートフィンの製造方法である。
【発明の効果】
【０００８】
本発明のコルゲートフィンの製造方法は、一対の成形ロール１、２により、帯状金属板３の平面に多数の溝４ａを連続的に並列成形して、その横断面を浅い波形の平面にする工程と、次いで、前記浅い波形の平面に、その帯状金属板３の長手方向に定間隔に離間して、波形平面を平坦に押し潰して、そこに溝無し部５を幅方向に形成すると共に、その溝無し部５の位置で帯状金属板３をつづら折りに折返し曲折して、そこに曲折部５ａを形成する工程を設けたものである。
そして、その曲折部５ａは溝無し部５であり、それが偏平チューブ６の平坦面に接触してろう付け固定されるものであから、偏平チューブ６とコルゲートフィン８との伝熱性を良好に確保できる。その溝無し部５は必要最小限とすることができ、その曲折部５ａ以外には多数の溝４ａが並列されて、浅い波形の平面を形成するため、そこに流通する気体を攪拌して熱交換性能を最大限に向上できる。
請求項２および請求項３の発明によれば、各溝無し部５間に傾斜溝群４が形成されているから、そこに流通する気体に渦流を発生させ、熱交換をさらに向上させる。
【図面の簡単な説明】
【０００９】
【図１】本発明の熱交換器用コルゲートフィンの製造方法を示す説明図。
【図２】同方法により製作されたコルゲートフィン８を有する熱交換器の要部斜視図。
【図３】本発明の他の実施例の製造方法を示す説明図。
【図４】図２のコルゲートフィン８の渦流の状態を示す説明図。
【図５】図３のコルゲートフィン８の渦流の状態を示す説明図。
【発明を実施するための形態】
【００１０】
次に、図面に基づいて本発明の実施の形態につき説明する。
図１は本発明の第１実施例の製造方法の斜視説明図であり、図２は同方法によるコルゲートフィンと偏平チューブとからなる熱交換器の要部斜視図である。
このコルゲートフィンの製造方法は、ロール状に巻かれた帯状金属板３を一対のロール１，２間に供給し、その平面に多数の溝４ａを連続的に並列形成する。そのために、ロール１，２には斜めの凸条部と凹条部とが交互に多数形成され、一方のロール１の凸条に他方のロール２の凹条が歯合する。このようなロールにより、帯状金属板３の平面には浅い波形が形成される。
【００１１】
次いで、ロール１，２の下流側にこの例では一対のプレス金型７が配置され、帯状金属板３の所定距離ごとに帯状金属板３の波形平面を押し潰して、そこに溝無し部５を形成する。この溝無し部５の幅は後工程で、そこに曲折部を形成できる必要最小限の曲率半径に限定される。この溝無し部５は帯状金属板３の長手方向に直行して配置され、コルゲートフィンの振幅のピッチで長手方向に互いに離間し配置される。なお、プレス金型７の替わりに、上下一対のロールにより溝無し部５の形成を行うこともできる。
【００１２】
次いで、帯状金属板３を溝無し部５の位置でつづら折りに折り返し曲折し、そこに曲折部５ａを形成する。なお、曲折部５ａの形成は一対のプレス金型７によって溝無し部５を形成した状態で、その上流側と下流側を図示しないロール支持体で支持し、一対のプレス金型７をそのまま上下方向に移動することによって、折り返し曲折部を形成してもよい。あるいは、その一対のプレス金型７の下流側において、別個に曲折部５ａの形成手段を設けることもできる。この例では、溝４ａは帯状金属板３の長手方向に対して一方向のみに傾斜している。
【００１３】
この様に形成されたコルゲートフィン８は、図２に示すごとく、多数並列された偏平チューブ６間に位置し、その曲折部５ａが偏平チューブ６の平坦な外面に接触する。そして、その接触部間が一体的にろう付け固定されるものである。なお、偏平チューブ６の上下両端は、図示しないタンクに連通され、偏平チューブ６内に被冷却用の熱媒体が流通し、偏平チューブ６の外面およびコルゲートフィン８に空気流９が矢印方向に流通する。そして、この空気流９と偏平チューブ６内の熱交換媒体との間に熱交換が行われるものである。
この例では、コルゲートフィン８は曲折部５ａにより折返されることにより、対向する平面の溝４ａが互いに逆向きに形成される。すると、空気流９はコルゲートフィン８の幅方向に進行するとともに、その一部が傾斜溝群４に導かれて、図４のごとく回転して渦流を起こす。それにより熱交換が促進される。
【００１４】
次に、図３は本発明の第２実施例のコルゲートフィンの製造方法を示す説明図である。
この例が図１のそれと異なる点は、帯状金属板３に形成される多数の溝４ａが平面波形に連続したものである。そして、溝４ａの平面視の頂部および谷部で一対のプレス金型７により溝無し部５が形成され、その溝無し部５の位置で曲折部５ａが形成されるものである。この場合には、対向する平面に形成される傾斜溝群４は互いに同一方向に配置される。
その結果、空気流９はコルゲートフィン８の幅方向に流通するとともに、その一部が図５のごとく渦流を形成する。この渦流は、上下二層に形成される。
なお、対向する平面に形成される傾斜溝の傾斜角度は、同一の場合と、異なる場合とがある。
【符号の説明】
【００１５】
１，２  ロール
３  帯状金属板
４  傾斜溝群
4a  溝
５  溝無し部
5a  曲折部
６  偏平チューブ
７  プレス金型
８  コルゲートフィン
９  空気流
【図１】
2011089664.tif 000003
【図２】
2011089664.tif 000004
【図３】
2011089664.tif 000005
【図４】
2011089664.tif 000006
【図５】
2011089664.tif 000007